(57)【特許請求の範囲】
【請求項１】
測定面を配管に接触させて該配管の中心軸線と上記測定面を平行とすることにより上記配管の勾配を測定し得る勾配センサーと、上記勾配センサーを先端部に支持する勾配センサー支持体であって、上記勾配センサーを固定するベース部と、該ベース部に接続された支持棒とから構成され、上記支持棒の先端の上記勾配センサーの上記測定面を高所の配管に接触させることにより高所配管の勾配を測定する高所配管勾配測定装置であって、
上記勾配センサーに接続され、上記勾配センサーにて測定された勾配データを取り込み可能な勾配データ管理装置を設け、
上記勾配データ管理装置は、
予め定められた勾配の正常範囲データを記憶する記憶手段と、
上記勾配センサーで測定された勾配データが上記正常範囲データ内に入っているか否かを判定する判定手段と、
上記勾配データと上記判定手段による判定結果とを、勾配の測定地点を特定するデータと共に表示する表示手段と、
上記勾配データと上記判定結果とを、勾配の測定地点を特定するデータと共に記憶する記憶手段とを具備しており、
上記支持棒の先端部に接続部材を固設し、当該接続部材に上記勾配センサーを支持する上記ベース部を接続する構成とし、
上記接続部材の固定板と上記ベース部の底板を４本のボルト及びナットによって所定間隔を隔てて接続すると共に、上記各ボルトにコイルバネを各々挿着し、
上記底板と上記固定板は上記コイルバネの反発力により常時離間する方向に附勢され、これにより上記ベース部は上記固定板に対して平行に支持されている構成とし、
上記固定板は上記コイルバネを圧縮しながら上記ボルトに沿って上記底板の方向に摺動可能であり、上記コイルバネの反発力により上記ボルトに沿って上記底板から離間する方向に摺動可能としたものであることを特徴とする高所配管勾配測定装置。
【請求項２】
上記勾配センサーは上記勾配データ管理装置からのデータ取込指令に基づいて現在計測中の勾配データを上記勾配データ管理装置に送出するものであり、
上記勾配データ管理装置は上記勾配データが入力する度に上記各勾配データに対応する番号を付与するものであり、当該番号を上記勾配の測定地点を特定するデータとするものであることを特徴とする請求項１記載の高所配管勾配測定装置。
【請求項３】
上記勾配データ管理装置は携帯可能なパーソナルコンピュータにより構成したものであることを特徴とする請求項１又は２記載の高所配管勾配測定装置。
【発明の詳細な説明】
【技術分野】
【０００１】
本発明は、天井等の高所に配置された排水配管等の配管の勾配を容易に測定でき、測定した勾配データを管理し得る高所配管勾配測定装置に関するものである。
【背景技術】
【０００２】
従来、天井に設置された排水配管の勾配を測定する装置としては、延長バーの先端部に勾配センサーを具備するＶ型ゲージを設け、上記Ｖ型ゲージを配管に接触させることにより、上記勾配センサーにて配管の勾配を測定する装置が提案されている（特許文献１）。
【先行技術文献】
【特許文献】
【０００３】
【特許文献１】特開２０００−４６５４７号
【発明の概要】
【発明が解決しようとする課題】
【０００４】
ところで、上記特許文献１の勾配測定装置は、測定した勾配は、表示部に表示されるだけであるため、測定した勾配データは別途手作業等で記録しなければならない。
【０００５】
しかしながら、配管の勾配測定の測定箇所数は、現場によっては１０００箇所以上に達する場合があり、このような膨大な計測地点の勾配測定を行うに際し、測定データを手作業で記録し、かつ測定した全ての勾配が正常範囲内にあるか否かを判断する必要があるため、測定した勾配データを管理するには非常に多くの労力を必要としていた。
【０００６】
そこで、高所の配管の測定作業を、脚立等を使用せずに効率的かつ安全に行うことができると共に、測定データの管理を容易に行うことができる高所配管勾配測定装置が望まれていた。
【０００７】
本発明は上記従来の課題に鑑みてなされたものであり、天井等の排水配管等の高所の配管の勾配の測定を容易かつ安全に行うことができると共に、測定データの管理をも行うことのできる高所配管勾配測定装置を提供することを目的とする。
また、本発明は、高所の配管の勾配の測定ができ、測定データの管理をも行うことのでき、しかも装置全体がコンパクトで持ち運び可能な高所配管勾配測定装置を提供することを目的とする。
【課題を解決するための手段】
【０００８】
上記の目的を達成するために本発明は、
測定面を配管に接触させて該配管の中心軸線と上記測定面を平行とすることにより上記配管の勾配を測定し得る勾配センサーと、上記勾配センサーを先端部に支持する勾配センサー支持体であって、上記勾配センサーを固定するベース部と、該ベース部に接続された支持棒とから構成され、上記支持棒の先端の上記勾配センサーの上記測定面を高所の配管に接触させることにより高所配管の勾配を測定する高所配管勾配測定装置であって、上記勾配センサーに接続され、上記勾配センサーにて測定された勾配データを取り込み可能な勾配データ管理装置を設け、上記勾配データ管理装置は、予め定められた勾配の正常範囲データを記憶する記憶手段と、上記勾配センサーで測定された勾配データが上記正常範囲データ内に入っているか否かを判定する判定手段と、上記勾配データと上記判定手段による判定結果とを、勾配の測定地点を特定するデータと共に表示する表示手段と、上記勾配データと上記判定結果とを、勾配の測定地点を特定するデータと共に記憶する記憶手段とを具備しており、上記支持棒の先端部に接続部材を固設し、当該接続部材に上記勾配センサーを支持する上記ベース部を接続する構成とし、上記接続部材の固定板と上記ベース部の底板を４本のボルト及びナットによって所定間隔を隔てて接続すると共に、上記各ボルトにコイルバネを各々挿着し、上記底板と上記固定板は上記コイルバネの反発力により常時離間する方向に附勢され、これにより上記ベース部は上記固定板に対して平行に支持されている構成とし、上記固定板は上記コイルバネを圧縮しながら上記ボルトに沿って上記底板の方向に摺動可能であり、上記コイルバネの反発力により上記ボルトに沿って上記底板から離間する方向に摺動可能としたものであることを特徴とする高所配管勾配測定装置により構成される。
【０００９】
上記勾配の測定地点を特定するデータは、例えば勾配データ毎の通し番号データとすることができる。従って、支持棒を把持してその先端の勾配センサーの測定面を高所の配管に接触させることにより上記配管の勾配を測定することができる。そして測定した勾配データは勾配センサーから勾配データ管理装置に取り込まれ、当該管理装置において、当該勾配データが正常範囲に入っているか否か判定され、勾配データと判定結果とが、測定地点を特定するデータと共に表示され、かつ勾配データと判定結果とを測定地点を特定するデータと共に内部に記憶することができる。よって、例えば多数の高所配管の勾配を安全かつ効率的に測定することができ、さらに、その測定した勾配データを測定地点毎に効率的に管理することができる。このように構成すると、勾配センサーの測定面を配管に接触させた状態で支持棒を配管の方向に押圧することにより、上記コイルバネの反発力により上記勾配センサーを配管に確実に接触させることができ、高所であっても正確な勾配を測定することができる。
【００１０】
第２に、上記勾配センサーは上記勾配データ管理装置からのデータ取込指令に基づいて現在計測中の勾配データを上記勾配データ管理装置に送出するものであり、上記勾配データ管理装置は上記勾配データが入力する度に上記各勾配データに対応する番号を付与するものであり、当該番号を上記勾配の測定地点を特定するデータとするものであることを特徴とする上記第１記載の高所配管勾配測定装置により構成される。
【００１１】
従って、測定地点を特定するデータを「番号」としたので、多数の測定地点の勾配データを効率的に管理することができる。
【００１３】
上記弾性部材は、例えばコイルバネ（１５）等により構成することができる。このように構成すると、弾性部材の弾性により上記支持棒に対して上記ベース部を柔軟に回動させることができ、これにより勾配センサーの測定面を配管に確実に接触させることができる。
【００１６】
第３に、上記勾配データ管理装置は携帯可能なパーソナルコンピュータにより構成したものであることを特徴とする上記第１又は２記載の高所配管勾配測定装置により構成される。
【００１７】
このように構成すると、勾配センサー支持体と勾配データ管理装置全体を携帯可能なコンパクトな装置とすることができる。
【発明の効果】
【００１８】
本発明は上述のように、測定した高所配管の勾配データは勾配センサーから勾配データ管理装置に取り込まれ、当該管理装置において、当該勾配データが正常範囲に入っているか否か判定され、勾配データと判定結果とが、測定地点を特定するデータと共に表示され、かつ内部に記憶することができるので、多数の高所配管の勾配を安全かつ効率的に測定することができ、その測定した勾配データを測定地点毎に効率的に管理することができるという効果を有するものである。
【００１９】
また、支持棒を含む勾配センサー支持体により、高所の配管の勾配を安全かつ確実に測定することができる。
【００２０】
また、コイルバネ等の弾性部材により勾配センサーを配管に確実に接触させることができ、高所であっても正確な勾配を測定することができる。
【００２１】
また、勾配センサー支持体と勾配データ管理装置全体を携帯可能なコンパクトな装置とすることができる。
【図面の簡単な説明】
【００２２】
【図１】本発明に係る高所配管勾配測定装置の勾配センサーとベース部近傍の斜視図である。
【図２】同上測定装置の勾配センサー近傍の側面図である。
【図３】同上測定装置の勾配センサー近傍の正面図である。
【図４】同上測定装置の勾配センサー筺体近傍の断面図である。
【図５】同上測定装置を配管に接触させた状態の勾配センサー近傍の正面図である。
【図６】同上測定装置を配管に接触させた状態の装置全体の正面図である。
【図７】同上測定装置の勾配センサーの構成ブロック図である。
【図８】同上測定装置のセンサー本体の概略図であり、（ａ）は非傾斜状態、（ｂ）は傾斜状態を示す図である。
【図９】同上測定装置の勾配データ管理装置の構成ブロック図である。
【図１０】同上測定装置の勾配センサーの動作手順を示すフローチャートである。
【図１１】同上測定装置の勾配センサーの動作手順を示すフローチャートである。
【図１２】同上測定装置の勾配データ管理装置の動作手順を示すフローチャートである。
【図１３】同上測定装置の勾配データ管理装置の表示画面を示す図である。
【図１４】同上測定装置の勾配センサーの機能ブロック図である。
【図１５】同上測定装置の勾配データ管理装置の機能ブロック図である。
【図１６】（ａ）は同上測定装置の絶対水平ゼロセットを行う状況の説明図、（ｂ）は勾配の概念説明図である。
【発明を実施するための形態】
【００２３】
以下、本発明に係る高所配管勾配測定装置を詳細に説明する。
【００２４】
図１は本発明に係る高所配管勾配測定装置１を示す図であり、同装置１は、略直方体形状の勾配センサー２と、該勾配センサー２を取付固定する勾配センサー支持体３’と、勾配データ管理装置６（図６参照）から構成されている。
【００２５】
上記勾配センサー支持体３’は、上記勾配センサー２を固定する勾配センサー取付用のベース部３と、当該ベース部３をその先端部を以って支持する支持棒４とから構成されており、図３に示すように絶対水平ゼロセットされた勾配センサー２を上記ベース部３に固定し、勾配センサー２の測定面２ａを排水配管５に下から当接することで（図５参照）、当該センサー２によって上記配管５の勾配を測定し、測定した勾配データは表示部１８に表示されると共に、上記センサー２から勾配データ管理装置６に送出され当該管理装置６内に記憶されるものである（図６参照）。
【００２６】
上記勾配センサー取付用の上記ベース部３は、長方形状の金属製の板からなる底板７ａと、該底板７ａの両側端から直立する一対の金属製の対向側板７ｂ，７ｂとから構成され、全体が上面開口の略「コ」字状をなしている。上記対向側板７ｂ，７ｂの対向面内側は上部から下方に「Ｕ」字状に切欠７ｂ’，７ｂ’が形成されており、これら切欠７ｂ’の両側の板面に各々衝撃吸収用の弾性体８，８が対向して接着されている。また、上記底板７ａ上には衝撃吸収用の弾性板９が上記底板７ａの両端部及び中央部の３箇所に接着されている。そして、上記底板７ａ及び対向側板７ｂ，７ｂで囲まれる取付空間１０内に上記勾配センサー２を嵌合固定し得るように構成されている（図３参照）。
【００２７】
上記底板７ａ及び上記対向側板７ｂ，７ｂの長手方向の両縁部には、板面より内側方向に直角に起こされた起立短縁７’が形成されており、上記起立短縁７’，７’間の間隔は上記勾配センサーの厚みより若干広く形成されている。また、上記底板７ａの長手方向の幅は上記勾配センサー２の長手方向の一辺の長さより若干長く形成されている。よって、上記勾配センサー２を上記空間１０内に収納すると、勾配センサー２の底面２ｂが上記底板７ａの上記弾性板９上に載置されると共に、勾配センサー２の両側面２ｃ，２ｃに上記対向側板７ｂ，７ｂの上記弾性体８，８が接触し、かつ上記各起立短縁７’が上記勾配センサー２の前後板面２ｄ，２ｄの周縁部を支持することで、当該勾配センサー２は上記空間１０内に固定的に収納される（図３参照）。尚、図３に示すように、上記勾配センサー２と上記ベース部３の上記底板７ａとを締結用の帯状部材５８にて巻回固定することが好ましい。
【００２８】
上記支持棒４は長さが２ｍ〜４ｍ（配管５の高さによって伸縮自在とすることもできる）、直径２５ｍｍの断面円径の金属製パイプであり、先端部４ａに接続部材１１及び弾性部材１２（コイルバネ１５、ボルトＢ２、ナットＮ）を介在させて上記勾配センサー取付用のベース部３が取り付けられている。
【００２９】
上記接続部材１１は、長方形板状の金属製の固定板１３と、該固定板１３の中央部下面側から下方に一対に設けられた金属製の平行垂直板１４，１４とから構成されており、上記平行垂直板１４，１４間に上記支持棒４の先端部４ａを挿通し、上記垂直板１４，１４の外側から、上記先端部４ａに貫設された横方向貫通孔４ｂ，４ｂ（図３）にボルトＢ１，Ｂ１を挿通し、当該ボルトＢ１，Ｂ１の他端をナットＮ，Ｎにて締結することによって、上記接続部材１１は上記支持棒４の先端部４ａに固定されている。この接続部材１１の上記支持棒４へのかかる固定状態においては、上記固定板１３は上記支持棒４に対して直交した状態となっている。
【００３０】
そして、上記勾配センサー取付用のベース部３の上記底板７ａに４箇所の貫通孔１６を設け、上記底板７ａの上面から下方向けてボルトＢ２（４本）を上記貫通孔１６に挿通し、上記底板７ａの下面側に貫通した各ボルトＢ２にコイルバネ１５（４個）を各々挿通し、かつ上記固定板１３に設けた４箇所の貫通孔１７に上記各ボルトＢ２の下端を挿通し、上記各コイルバネ１５を圧縮した状態で、上記固定板１３の下面から上記各ボルトＢ２にナットＮをねじ込むことで、上記固定板１３上に上記勾配センサー取付用のベース部３を取り付ける。
【００３１】
これにより、図３に示すように、上記支持棒４の先端部４ａに上記勾配センサー取付用のベース部３を固定することができる。このとき、上記ベース部３の底板７ａと上記固定板１３は互いに平行であり、かつ上記固定板１３は上記支持棒４に対して直交状態となっている。さらに、上記固定板１３と上記ベース部３の底板７ａは、上記コイルバネ１５の反発力により互いに離間する方向（逆方向）に付勢された状態となっており、かかる反発状態で上記固定板１３に対して上記ベース部３は平行（水平）に支持されている。よって、固定板１３はコイルバネ１５を圧縮しながら上記ボルトＢ２に沿って底板７ａの方向に摺動可能であり、かつ上記コイルバネ１５の反発力により上記ボルトＢ２に沿って底板７ａから離間する方向に摺動可能である。
【００３２】
即ち、図５に示すように、上記勾配センサー２の上面の測定面２ａを排水配管５の下面に当接した状態で、上記支持棒４を把持して上方に押圧すると、上記コイルバネ１５が圧縮されて上記固定板１３と上記底板７ａとの間隔が縮小して行き、これにより上記コイルバネ１５の反発力によって上記勾配センサー２の上面の測定面２ａを上記配管５の下面に確実に接触し得るように構成されている。そして、かかる勾配センサー２の上記配管５への接触状態において、上記配管５の中心軸線Ｃ１と上記勾配センサー２の上記測定面２ａ，２ａが平行となることで、上記勾配センサー２において、基準水平面Ｇ（図１６参照）に対する上記配管５の勾配Ｍ（基準水平面Ｇに対する上記配管５の中心軸線Ｃ１の傾斜角度）を測定することができるように構成されている。
【００３３】
また、上記勾配センサー取付用のベース部３は、図５に示すように、上記支持棒４の中心軸線Ｃ２に直交する回転中心軸線Ｃ３（紙面に対して垂直な線）を中心として、上記固定板１３に対して回転方向（図５の矢印Ａ，Ｂ方向）に若干回動傾斜し得るように構成されており、上記支持棒４の中心軸線Ｃ２に対して上記配管の中心軸線Ｃ１が直交しておらず、斜交している場合であっても、当該斜交角度を上記ベース部３の上記回動により吸収して、正確な勾配が測定できるように構成されている。
【００３４】
次に、勾配センサー２の構造について図７、図８及び図１４の機能ブロック図に基づいて説明する。
【００３５】
勾配センサー２は図１、図２に示すように、幅方向に狭い略直方体形状の箱型の形状を成しており、当該センサー２の上面の測定面２ａを配管５等の被測定物に接触させ、該被測定物の角度と上記測定面２ａの角度を平行にすることによって、当該被測定物の基準水平面Ｇに対する勾配（例えば基準水平面Ｇに対する傾斜角度θ、又は１ｍ当たりの基準水平面Ｇからの勾配Ｍ［ｍｍ／ｍ］、図１６（ｂ）参照）を測定する機能を有するものである。尚、上記勾配センサー２の測定面２ａと底面２ｂは平行なので、当該勾配センサー２をその底面２ｂを以って被測定物上に載置することでも、当該被測定物の勾配を測定することができる。
【００３６】
この勾配センサー２は、図７に示すように、センサー本体２’（図８参照）を含むセンサー部２”（図１４、勾配測定手段４０）と、測定した勾配データ等を表示する表示部１８（図１４、表示手段４１）と、各種操作を行う操作部１９（電源ボタン６０、絶対水平ゼロセットボタン６１、モード設定ボタン６２）（図１４、入力手段４２）と、図１０及び図１１に示す動作手順から構成される制御プログラム２０が記憶されるメモリ２０’と、測定した勾配データ等の各種データを記憶するメモリ２１（図１４、記憶手段４３）と、上記制御プログラム２０を実行するＣＰＵ２２と、後述の勾配データ管理装置６からのデータ取込指令に基づいて測定した勾配データを上記管理装置６に出力するための入出力インターフェース２３（図１４、データ取込指令認識手段４４、データ出力手段４５）を具備している。
【００３７】
上記センサー本体２’は図８（ａ）に示す構成を具備している。このセンサー本体２’は、密封されたケース２４内に２枚の固定電極２５ａ，２５ｂが設けられ、上記固定電極２５ａ，２５ｂ間に摩擦の極めて少ない状態で１ｇ以下の軽量ディスク２６が振り子構造により支持されている。このセンター本体２’は、上記勾配センサー２がその測定面２ａ又は底面２ｂを以って水平な面に載置された状態において、上記ディスク２６が図８（ａ）の中立位置に位置するように、上記勾配センサー２内に固定されている。
【００３８】
従って、上記勾配センサー２が傾斜して上記測定面２ａが水平面から傾斜すると、図８（ｂ）に示すように、上記測定面２ａの傾斜に応じて上記ケース２４内の上記軽量ディスク２６が傾斜するので、上記センサー部２”（図１４、データ変換手段４６）がこのときの上記ディスク２６と固定電極２５ａ間の静電容量ＣＡの変化、及び上記ディスク２６と固定電極２５ｂ間の静電容量ＣＢの変化を検出すると共に、これらの静電容量の変化を電気信号に変換して上記ＣＰＵ２２に送出するものである。上記センサー本体２’のケース２４内は空気ダンパー２４’で完全密封されており、温度変化の影響を極力受けない構造となっている。
【００３９】
上記ＣＰＵ２２は上記制御プログラム２０に基づいて、上記メモリ２１に予め記憶している基準水平面Ｇ（通常は傾斜が０度の水平面）に対応する基準勾配データＳ（通常は勾配θ＝０度又はＭ＝０［ｍｍ／ｍ］）（図１４）と上記センサー部２”からの電気信号（測定した値）を比較することで、勾配データ（基準水平面Ｇに対する傾斜角θ、或いは、基準水平面Ｇに対して１ｍ当たりの勾配Ｍ［ｍｍ／ｍ］）を算出し、当該勾配データを上記表示部１８に表示すると共にメモリ２１に勾配データＤ（図１４参照）として記憶する。また、上記ＣＰＵ２２（データ取込指令認識手段４４）は上記制御プログラム２０に基づいて、上記勾配データ管理装置６からの勾配データの取込指令があると、現在測定している勾配データを入出力インターフェース２３に出力し、同データを上記勾配データ管理装置６に向けて送出するものである。
【００４０】
上記勾配センサー２を使用するに際しては、予め絶対水平ゼロセットを行う必要がある。即ち、上記勾配センサー２を上記基準水平面Ｇ（図１６（ａ））に設置し、当該基準水平面Ｇの勾配を測定し、当該基準水平面Ｇの勾配を基準勾配データＳとして測定し、当該基準勾配データＳをメモリ２１に記憶しておく。よって、基準勾配データＳを測定した後は、上記基準勾配データＳとの差分データが勾配の測定データ（勾配データ）として出力（表示）されるように構成されている。尚、この絶対水平ゼロセットは、一度設定を行えば、その後は基本的に設定不用である。また、勾配センサー２の上記センサー部２”は、上記絶対水平ゼロセットを行った後は、電源オン状態においては、当該センサー２が置かれている位置における上記測定面２ａの勾配データを数秒間隔で上記ＣＰＵ２２に常時送出しており、上記ＣＰＵ２２は上記データ取込指令があると、現在測定中の勾配データを上記入出力インターフェース２３に出力し得るように構成されている。
【００４１】
次に、上記勾配センサー２で測定した勾配データを管理する勾配データ管理装置６について図９及び図１５の機能ブロック図に基づいて説明する。
【００４２】
上記勾配データ管理装置６は図１２に示す制御プログラム２７が記憶されたいわゆるノート型のパーソナルコンピュータ（以下「パソコン」という）により構成されている。即ち、当該データ管理装置（パソコン）６は、上記勾配センサー２等の外部機器と接続するための複数のコネクタＣ（例えば、ＲＳ２３２ＣコネクタＣａ、ＵＳＢコネクタＣｂ、その他のデータ用コネクタＣｃ等）を有しており、外部入出力インターフェース２８（図１５、データ取込手段５０）を介して外部機器と各種データのやり取りを実行し得るように構成されている。具体的には上記何れかのコネクタＣａ〜Ｃｃと上記勾配センサー２とがケーブルＫにて接続されており（ここではＵＳＢコネクタＣｂに上記ケーブルＫが接続されているとする）、上記勾配センサー２で測定された勾配データは上記コネクタＣｂから外部入出力インターフェース２８を介して当該管理装置６内に取り込み可能に構成されている。
【００４３】
当該勾配データ管理装置６において、２９はバスであり、当該バス２９に入出力制御装置３０、ＣＰＵ３１、制御プログラム２７が記憶された内部メモリ３２、ハードディスク等の外部メモリ３３（図１５、記憶手段５１）が接続されている。上記制御プログラム２７は図１２に示す動作手順に従って勾配データ取り込み動作等を実行するものであり、上記ＣＰＵ３１は上記制御プログラム２７に従って上記勾配センサー２から入力する勾配データの番号付動作（図１５、番号付手段５２）、判定動作（図１５、判定手段５３）、記憶動作（図１５、記憶制御手段５４）、表示動作（図１５、表示制御手段５５）等を実行する。上記入出力制御装置３０にはディスプレイ３５（図１５、表示手段５６）及びキーボード等の入力装置３４（図１５、入力手段５７）が接続されている。
【００４４】
また、上記外部メモリ３３内には、上記判定動作を行うための予め設定された勾配の正常範囲データＬ（例えば、Ｌ＝９［ｍｍ／ｍ］〜１０［ｍｍ／ｍ］）が記憶されている。
【００４５】
上記勾配データ管理装置６のディスプレイ３５に表示される画面の一例を図１３に示す。上記画面上には、測定場所を特定するための通し番号としての測定番号の表示欄「Ｎｏ」、勾配データの表示欄「傾斜（ｍｍ／ｍ）」、判定結果を表示する表示欄「判定」があり、勾配データを取り込むための取込ボタン６５、勾配データ等を記憶するための保存するための保存ボタン６６、判定結果が「×」の場合にその勾配データを無効とするための無効ボタン６８の他、データを消去するためのクリアボタン６９、プログラムを終了するための終了ボタン６７、さらに、設定された勾配の正常範囲７０等が表示されるように構成されている。
【００４６】
本発明は上述のように構成されているので、次に、本発明の高所配管勾配測定装置を用いて高所排水配管の勾配を測定する動作を説明する。
【００４７】
まず、事前準備として勾配センサー２の絶対水平ゼロセットを行う（図１０参照）。まず、上記勾配センサー取付用のベース部３に取り付け前の勾配センサー２単独を基準水平面Ｇ上に載置し（図１６参照）、当該センサー２の操作部１９の電源ボタン６０（図１４、入力手段４２）をオンしてセンサー２の電源をオンする（図１０Ｐ１）。すると、センサー２の電源供給手段４７（図１４）がセンサー２内の各部に電源を供給し、該センサー２が動作状態となる（図１０Ｐ１）。
【００４８】
その後、操作部１９の絶対水平ゼロセットボタン６１（入力手段４２）から絶対水平ゼロセットモードを設定すると（図１０Ｐ２）、ＣＰＵ２２はそのときの勾配センサー２の測定した勾配データ（センサー部２”が出力している勾配データ）を読み込んで勾配を測定し（図１０Ｐ３）、その勾配データを基準勾配データＳとしてメモリ２１に記憶すると共に表示部１８に表示する（図１０Ｐ４）。これにより勾配センサー２の基準勾配データＳが設定されたので、その後は、この基準勾配データＳに対する勾配の測定が可能となる。尚、この基準勾配データＳは勾配センサー２の電源をオフしても（図１０Ｐ５）保持される。
【００４９】
次に、上記勾配センサー２を勾配センサー取付用のベース部３に図３に示すように嵌合取着し、センサー２の中央の凹部２ａ’と上記底板７ａとを帯状部材５８で巻回締結して該勾配センサー２を上記ベース部３に固定する。
【００５０】
尚、上記勾配データ管理装置６において、上記勾配の正常範囲データＬ（例えば９［ｍｍ／ｍ］〜１０［ｍｍ／ｍ］）は上記管理装置６の入力装置３４から装置６内に予め入力されており、当該正常範囲データＬは上記管理装置６の外部メモリ３３（記憶手段５１）内に記憶されているものとする。
【００５１】
そして、上記勾配センサー２の入出力インターフェース２３のコネクタ（例えば８ピンのコネクタ）と勾配データ管理装置６のＵＳＢコネクタＣｂとをケーブルＫで接続し、上記支持棒４の下端部を把持してその先端部４ａの勾配センサー２を略垂直方向に上方に持ち上げ、図６に示すように、天井に配設された排水配管５の下面に上記センサー２の上面の測定面２ａを接触させる。
【００５２】
上記勾配センサー２の上記測定面２ａが上記配管５の下面に接触したとき、さらに上記支持棒４を上方に若干持ち上げ、上記勾配センサー取付用のベース部３のコイルバネ１５を圧縮することにより、上記コイルバネ１５の反発力により上記勾配センサー２の上記測定面２ａを上記配管５の下面に確実に接触させる。これにより上記勾配センサー２の上記側定面２ａを上記配管５の中心軸線Ｃ１と正確に平行状態とすることができる。
【００５３】
上記勾配センサー２はこの状態における勾配、即ち、配管５の勾配を測定する（図１１Ｐ１，Ｐ２）。具体的には、上記勾配センサー２の測定面２ａが上記配管２の下面に接触している状態において、ＣＰＵ２２（図１４、データ変換手段４６）はセンサー部２”（図１４、勾配測定手段４０）から入力する勾配に対応した電気信号を読み込んで、基準勾配データＳと比較することで現在の配管５の傾斜角（勾配（傾斜）データ）を算出し（図１１Ｐ２）、上記ＣＰＵ２２（図１４、データ出力手段４５）は算出した勾配データを表示部１８（図１４、表示手段４１）に表示する（図１１Ｐ３）。
【００５４】
その後、操作者は、勾配データ管理装置６のディスプレイ３５上の取込ボタン６５（図１３）を押圧（マウスポインタでクリック等）する（図１２Ｐ１）。すると、上記管理装置６のＣＰＵ３１（図１５、データ取込手段５０）は、上記勾配センサー２に対してデータの取込指令を送出する。
【００５５】
すると、上記勾配センサー２のＣＰＵ２２（図１４、データ取込指令認識手段４４）はこれを検出し（図１１Ｐ４）、上記ＣＰＵ２２（図１４、データ出力手段４５）は現在測定している勾配データＭ１を入出力インターファース２３を介して勾配データ管理装置６に送出する（図１１Ｐ５）。
【００５６】
すると、上記勾配データＭ１はケーブルＫを介して勾配データ管理装置６に入力する（図１２Ｐ２）。上記ＣＰＵ３１（図１５、番号付手段５２）は、取り込んだ勾配データＭ１に「勾配の測定地点を特定するデータ」として測定番号「１」を付与し（図１２Ｐ３）、上記勾配データＭ１に対応付けて一時的に記憶する。次に上記ＣＰＵ３１（図１５、判定手段５３）は、上記取り込んだ勾配データＭ１が、正常の範囲内であるか否かの判定を行う（図１２Ｐ４）。
【００５７】
上記ＣＰＵ３１（判定手段５３）は、外部メモリ３３（図１５、記憶手段５１）に予め設定している勾配の正常範囲データＬ［ｍｍ／ｍ］を読み出し、上記勾配データＭ１が上記正常範囲に入っているか否かの判定を行う（図１２Ｐ５）。そして、上記勾配データＭ１が正常範囲に入っている場合は、「正常」と判断し（図１２Ｐ６）、上記勾配データＭ１が正常範囲に入っていない場合は「異常」の判定を行う（図１２Ｐ７）。
【００５８】
引き続いて、上記ＣＰＵ３１（表示制御手段５５）は、ディスプレイ３５（図１５、表示手段５６）上に上記測定番号「１」、勾配（傾斜）データ「Ｍ１［ｍｍ／ｍ］」を表示すると共に、判定結果が「正常」であれば、判定の表示欄に「○」を表示し、判定結果が「異常」であれば、判定の表示欄に「×」を表示する（図１２Ｐ８、図１３参照）。
【００５９】
その後、操作者がディスプレイ３５上の保存ボタン６６を押すと（マウスポインタでクリック等すると）（図１２Ｐ９）、上記ＣＰＵ３１（図１５、記憶制御手段５４）は上記測定番号（勾配の測定地点を特定するデータ）「１」、勾配（傾斜）データ「Ｍ１」、判定結果「○」又は「×」のデータを外部メモリ３３（図１５、記憶手段５１）に保存する（図１２Ｐ１０、Ｐ１１）。
【００６０】
以上の操作によって、第１番目の測定箇所の配管の勾配データＭ１の測定が終了したので、次に、操作者は、２番目の勾配測定箇所の排水配管５の下方に移動し、当該排水配管５の近傍位置において、上記と同様に、支持棒４を把持して上記配管５の底面に向けて上記勾配センサー２を持ち上げ、上記配管５の底面に上記勾配センサー２の測定面２ａを押し当てて、２番目の配管５の勾配を測定する（図１２Ｐ１３から図１２Ｐ１）。以後は、上記と同様の手順で、複数箇所の排水配管の勾配を次々に測定していくことができる。
【００６１】
即ち、上記２番目の配管５の底面に上記勾配センサー２の測定面２ａを押し当てると、当該２番目の排水配管５の勾配データが測定されるので（図１１Ｐ２，Ｐ３）、操作者は上記勾配データ管理装置６のデータ取込ボタン６５を押圧すると（図１２Ｐ２）、上記勾配センサー２から勾配データＭ２が管理装置６に送出される（図１１Ｐ４，Ｐ５）。上記管理装置６は上記勾配データＭ２を受けると（図１２Ｐ３）、当該勾配データＭ２に測定番号（勾配の測定地点を特定するデータ）「２」を付与すると共に（図１２Ｐ３）、勾配が正常範囲内であるか否かの判定を行い（図１２Ｐ４〜Ｐ７）、当該勾配データＭ２を測定番号と判定結果と共に表示し（図１２Ｐ８）、操作者の上記保存ボタン６６の押圧操作に基づいて、上記勾配データＭ２を上記測定番号「２」と判定結果「○」又は「×」と共に外部メモリ３３に記憶する（図１２Ｐ９〜Ｐ１１）。
【００６２】
このように、測定箇所を移動しながら複数の配管５の底面に勾配センサー２の測定面２ａを順次押し当てるだけで、勾配を測定していくことができ、しかも、上記勾配データ管理装置６内において、各測定地点を特定するデータ１，２，３・・・と、各測定地点の勾配データＭ１，Ｍ２，Ｍ３・・・と、各測定地点の判定結果とを順次記憶していくことができ、勾配データの管理を極めて効率的に行うことができる。
【００６３】
本発明は以上のように、測定した高所配管５の勾配データＭ１等は勾配センサー２から勾配データ管理装置６に取り込まれ、当該管理装置６において、当該勾配データが正常範囲に入っているか否か判定され、勾配データと判定結果とが、測定地点を特定するデータと共に表示され、かつ内部に記憶することができるので、例えば１０００箇所以上の膨大な箇所の高所配管の勾配を安全かつ効率的に測定することができ、その測定した勾配データを測定地点毎に効率的に管理することができる。
【００６４】
また、支持棒４を含む勾配センサー支持体３’により、高所の配管５の勾配を、脚立等を使用することなく安全かつ確実に測定することができる。
【００６５】
また、コイルバネ（弾性部材）１５の反発力により勾配センサー２を高所配管５に確実に接触させることができ、高所の配管５であっても正確な勾配を測定することができる。
【００６６】
また、勾配データ管理装置６は携帯可能なパソコン等により構成することができるので、勾配センサー支持体３’と勾配データ管理装置６全体を携帯可能なコンパクトな装置とすることができ、持ち運びにも便宜な装置を実現したものである。
【産業上の利用可能性】
【００６７】
本発明の高所配管勾配測定装置は、商業ビル等の天井面に設置される排水用の配管の勾配等、多数の配管の勾配を測定する必要がある場合に好適であり、その他、各種の高所配管の勾配測定に広く用いることができる。
【符号の説明】
【００６８】
１          高所配管勾配測定装置
２          勾配センサー
２ａ        測定面
３          ベース部
３’        勾配センサー支持体
４          支持棒
４ａ        先端部
５          配管
６          勾配データ管理装置（パソコン）
１１        接続部材
１２        弾性部材
１５        コイルバネ
３３        外部メモリ
３５        ディスプレイ
５１        記憶手段
５２        番号付手段
５３        判定手段
５６        表示手段
Ｂ２        ボルト
Ｃ１        中心軸線
Ｄ，Ｍ１，Ｍ２・・・  勾配（傾斜）データ
Ｌ          正常範囲データ
【図１】
0005567524.tif 000002
【図２】
0005567524.tif 000003
【図３】
0005567524.tif 000004
【図４】
0005567524.tif 000005
【図５】
0005567524.tif 000006
【図６】
0005567524.tif 000007
【図７】
0005567524.tif 000008
【図８】
0005567524.tif 000009
【図９】
0005567524.tif 000010
【図１０】
0005567524.tif 000011
【図１１】
0005567524.tif 000012
【図１２】
0005567524.tif 000013
【図１３】
0005567524.tif 000014
【図１４】
0005567524.tif 000015
【図１５】
0005567524.tif 000016
【図１６】
0005567524.tif 000017